(57)【要約】【課題】リング状の磁性体コアの磁性体コア収容ケース内での二方向のガタを簡易な構成で防止することができる。【解決手段】ケース本体部３とキャップ５とによって、内部にフェライトコア７１を収容する環状凹部３ａを有するケース１を構成する。ケース本体部３の外側円筒壁部３３には、略Ｕ字状の切り込みを入れると共に切り起こすことによって押えバネ部５１が構成される。押えバネ部５１は、本体部５１ａと、本体部５１ａの先端部に一体に形成された突出部５１ｂと、からなる片持ち梁状の板バネとして構成される。そして、突出部５１ｂは、環状凹部３ａに収容されるフェライトコア７１の角部７１ａに当接する傾斜平面５３を有している。押えバネ部５１は、傾斜平面５３を介して角部７１ａにバネ力を付勢する。これにより、フェライトコア７１には、バネ力の軸線方向および径方向の分力が作用して、ケース１内での当該二方向のガタツキが防止される。【選択図】図７
2016092265.tif 000002
【特許請求の範囲】
【請求項１】
環状の磁性体コアを収容可能に構成されたコア収容ケースであって、
前記磁性体コアを収容する収容部を構成すると共に互いに接続可能に構成された第１および第２ケース部材と、
前記磁性体コアの外周面角部に当接して該外周面角部を介して前記磁性体コアに弾性力を付勢するよう構成された弾性部材と、
を備え、
前記弾性部材は、前記第１および第２ケース部材の少なくとも一方に設けられるよう構成されている
ことを特徴とする磁性体コア収容ケース。
【請求項２】
前記弾性部材は、前記第１および第２ケース部材の少なくとも一方の壁面部の一部を前記収容部内に突出するよう切り起こすことにより構成された板バネ部と、前記収容部内側に向かって突出するよう前記板バネ部に一体に設けられ前記外周面角部と当接するよう構成された当接部と、を有するよう構成されている請求項１に記載の磁性体コア収容ケース。
【請求項３】
前記第１および第２ケース部材の少なくとも一方は、内側環状壁部と、該内側環状壁部に同心状に構成された外側環状壁部と、前記内側環状壁部および前記外側環状壁部の延在方向の一端に接続された環状底壁部と、を有するよう構成されており、
前記収容部は、前記内側環状壁部、前記外側環状壁部および前記環状底壁部によって前記内側環壁部および前記外側環状壁部の延在方向の他端側が開口するよう構成された環状凹部を有しており、
前記弾性部材は、前記外周面角部のうち、前記磁性体コアが前記環状凹部に収容される際に、前記外側環状壁部に対向する前記磁性体コアの外周側面と、前記底壁部に対向する前記磁性体コアの端壁面と、の接続部を構成する角部に当接するよう構成されている請求項１または２に記載の磁性体コア収容ケース。
【請求項４】
前記板バネ部は、前記外側環状壁部の延在方向と直交する方向に延在するよう該外側環状壁部に略Ｕ字状の切込みを入れることにより構成されており、
前記当接部は、前記角部に当接可能な傾斜面を有するよう構成されている請求項３に記載の磁性体コア収容ケース。
【請求項５】
前記傾斜面は、１５〜４５°の範囲内となる傾斜角度を有するよう構成されている請求項４に記載の磁性体コア収容ケース。
【請求項６】
前記磁性体コアは、円環状に構成されており、
前記角部は、前記端壁面側から見たときに円形に構成されており、
前記傾斜面は、前記角部の曲率と略同じ曲率に形成された曲面を有するよう構成されている
請求項３〜５の何れか１項に記載の磁性体コア収容ケース。
【請求項７】
前記弾性部材は、複数設けられるよう構成されている請求項１〜６の何れか１項に記載の磁性体コア収容ケース。
【請求項８】
前記弾性部材は、前記収容部を挟んで互いに対向する位置に設けられた一対の第１および第２弾性部材を有するよう構成されている請求項７に記載の磁性体コア収容ケース。
【発明の詳細な説明】
【技術分野】
【０００１】
本発明は、環状の磁性体コアを収容可能に構成されたコア収容ケースに関する。
【背景技術】
【０００２】
特開２０１１−１１３９９５号公報（特許文献１）には、内部に環状凹部を有するケース本体と、当該環状凹部の開口を塞ぐように構成されたカバーと、を備える磁性体コア収容ケースが記載されている。環状凹部は、環状の磁性体コアを収容可能に構成されている。また、カバーのうち当該カバーがケース本体に取り付けられる際に環状凹部側を向く面には、環状凹部に向かって突出する突起部が設けられている。突起部はバネ性を有するように構成されている。
【０００３】
上記した公報に記載の磁性体コア収容ケースでは、環状凹部に磁性体コアを収容した状態のケース本体にカバーを取り付けると、突起部のバネ力によって磁性体コアが環状凹部の底面に向かって付勢されるため、磁性体コアの環状凹部内での軸線方向のガタツキを防止できる。
【先行技術文献】
【特許文献】
【０００４】
【特許文献１】特開２０１１−１１３９９５号公報
【発明の概要】
【発明が解決しようとする課題】
【０００５】
しかしながら、上述した磁性体コア収容ケースでは、磁性体コアの環状凹部内での径方向のガタツキを防止することができない。環状凹部の内壁面に径方向に突出する突起部をさらに設ける構成とすれば良いが、ケース構造が複雑化する。
【０００６】
本発明は、上記に鑑みてなされたものであり、リング状の磁性体コアの磁性体コア収容ケース内での二方向のガタを簡易な構成で防止することができる技術を提供することを目的とする。
【課題を解決するための手段】
【０００７】
本発明に係る磁性体コア収容ケースの好ましい形態によれば、環状の磁性体コアを収容可能に構成されたコア収容ケースが構成される。当該コア収容ケースは、磁性体コアを収容する収容部を構成すると共に互いに接続可能に構成された第１および第２ケース部材と、磁性体コアの外周面角部に当接して当該外周面角部を介して磁性体コアに弾性力を付勢するように構成された弾性部材と、を備えている。そして、弾性部材は、第１および第２ケース部材の少なくとも一方に設けられるように構成されている。
本発明における「環状の磁性体コア」とは、典型的には、一体の環状体に構成された磁性体コアがこれ該当するが、一対の半割環状体を組合わせて環状体に構成される磁性体コアを好適に包含する。また、本発明における「外周面角部」とは、磁性体コアが円筒体の場合には、円環形状に構成された端面の外周部と側面との接続部が該当し、磁性体コアが直方体の環状体の場合には、直方体の外形を構成する各平面同士の接続部が該当する。
【０００８】
本発明によれば、弾性力による二方向の分力が磁性体コアに作用する構成であるため、磁性体コアの外周面角部に弾性力を付勢するという簡易な構成でありながら、磁性体コアの磁性体コア収容ケース内での二方向の移動を規制することができる。なお、付勢される弾性力は磁性体コアの内側を向くため、磁性体コアが半割二分割に構成されて、当該分割構成された二つの磁性体コア同士を確実に当接させる必要がある構成において、本発明の効果をより顕著なものとすることができる。
【０００９】
本発明に係る磁性体コア収容ケースの更なる形態によれば、弾性部材は、第１および第２ケース部材の少なくとも一方の壁面部の一部を収容部内に突出するように切り起こすことにより構成された板バネ部と、収容部内側に向かって突出するように板バネ部に一体に設けられ外周面角部と当接するように構成された当接部と、を有するように構成されている。
【００１０】
本形態によれば、簡易に弾性部材を構成することができる。
【００１１】
本発明に係る磁性体コア収容ケースの更なる形態によれば、第１および第２ケース部材の少なくとも一方は、内側環状壁部と、当該内側環状壁部に同心状に構成された外側環状壁部と、内側環状壁部および外側環状壁部の延在方向の一端に接続された環状底壁部と、を有するように構成されている。収容部は、内側環状壁部、外側環状壁部および環状底壁部によって内側環壁部および外側環状壁部の延在方向の他端側が開口するように構成された環状凹部を有している。弾性部材は、外周面角部のうち、磁性体コアが環状凹部に収容される際に、外側環状壁部に対向する磁性体コアの外周側面と、底壁部に対向する磁性体コアの端壁面と、の接続部を構成する角部に当接するように構成されている。
【００１２】
本形態によれば、内側環状壁部および外側環状壁部の延在方向と、当該延在方向に直交する方向と、の二方向において、磁性体コアが磁性体コア収容ケース内を移動することを規制することができる。
【００１３】
本発明に係る磁性体コア収容ケースの更なる形態によれば、板バネ部は、外側環状壁部の延在方向と直交する方向に延在するように外側環状壁部に略Ｕ字状の切込みを入れることにより構成されている。そして、当接部は、角部に当接可能な傾斜面を有するように構成されている。
【００１４】
本形態によれば、外側環状壁部が延在方向に大型化するのを抑制しながら、内側環状壁部および外側環状壁部の延在方向と、当該延在方向に直交する方向と、の二方向において、磁性体コアが磁性体コア収容ケース内を移動することを規制することができる。
【００１５】
本発明に係る磁性体コア収容ケースの更なる形態によれば、傾斜面は、１５°ないし４５°の範囲内となる傾斜角度を有するように構成されている。
【００１６】
本形態によれば、磁性体コアを磁性体コア収容ケースに収容する際の組付け性と、磁性体コアの磁性体コア収容ケース内でのガタツキ防止性と、の両立を最適に図ることができる。
【００１７】
本発明に係る磁性体コア収容ケースの更なる形態によれば、磁性体コアは、円環状に構成されている。角部は、端壁面側から見たときに円形に構成されている。そして、傾斜面は、角部の曲率と略同じ曲率に形成された曲面を有するように構成されている。
【００１８】
本形態によれば、当接部と角部とを線接触させることができるため、当接部の耐摩耗性を向上することができる。
【００１９】
本発明に係る磁性体コア収容ケースの更なる形態によれば、弾性部材は、複数設けられるように構成されている。
【００２０】
本形態によれば、磁性体コアの磁性体コア収容ケース内でのガタツキを安定して防止することができる。
【００２１】
本発明に係る磁性体コア収容ケースの更なる形態によれば、収容部を挟んで互いに対向する位置に設けられた一対の第１および第２弾性部材を有するように構成されている。
【００２２】
本形態によれば、磁性体コアの磁性体コア収容ケースに対する径方向位置ずれを抑制しながら、磁性体コアの磁性体コア収容ケース内でのガタツキを防止することができる。
【発明の効果】
【００２３】
本発明によれば、リング状の磁性体コアの磁性体コア収容ケース内での二方向のガタを簡易な構成で防止することができることができる。
【図面の簡単な説明】
【００２４】
【図１】本発明の実施の形態に係るケースの構成の概略を示す分解斜視図である。
【図２】ケース本体部の斜視図である。
【図３】ケース本体部を側面から見た側面図である。
【図４】ケース本体部を正面から見た正面図である。
【図５】ケース本体部を裏面から見た裏面図である。
【図６】図４のＣ部を拡大して示す要部拡大図である。
【図７】図２のＡ部を拡大して示す要部拡大図である。
【図８】図６のＹ−Ｙ断面を示す断面図である。
【図９】ケースにフェライトコアを収容する際の様子を示す説明図である。
【図１０】フェライトコアを収容したケースの断面を示す断面図である。
【図１１】図１０のＢ部を拡大して示す拡大図である。
【図１２】フェライトコアを収容したケースをハーネスに取り付ける様子を示す説明図である。
【発明を実施するための形態】
【００２５】
次に、本発明を実施するための形態を実施例を用いて説明する。
【００２６】
本発明の実施の形態に係るケース１は、図１に示すように、ケース本体部３と、キャップ５と、を備えており、フェライトコア７１(図９参照)を収容する絶縁ケースとして構成されている。ケース１は、本発明における「磁性体コア収容ケース」に対応し、ケース本体部３およびキャップ５は、本発明における「第１ケース部材」および「第２ケース部材」に対応する実施構成の一例である。また、フェライトコア７１は、本発明における「磁性体コア」に対応する実施構成の一例である。
【００２７】
ケース本体部３は、図２に示すように、内側円筒壁部３１と、当該内側円筒壁部に同心状に構成された外側円筒壁部３３と、内側円筒壁部３１および外側円筒壁部３３の軸線方向の一端に接続された円環状の底壁部３５と、から構成されている。即ち、ケース本体部３は、内部に環状凹部３ａを有する有底二重円筒体として構成されている。
【００２８】
環状凹部３ａの外径は、収容するフェライトコア７１の外径とほぼ同じ大きさか若干大きくなるように構成されている。また、環状凹部３ａの内径は、当該フェライトコア７１の内径とほぼ同じ大きさか若干小さくなるように構成されている。環状凹部３ａとキャップ５とによってフェライトコア７１を収容する収容部が構成される。内側円筒壁部３１、外側円筒壁部３３および底壁部３５は、それぞれ本発明における「内側環状壁部」、「外側環状壁部」および「環状底壁部」に対応する実施構成の一例である。また、環状凹部３ａは、本発明における「環状凹部」に対応する実施構成の一例である。
【００２９】
内側円筒壁部３１の軸線方向の他端部（底壁部３５が接続された側とは反対側の端部）には、図２に示すように、舌片部３１ａが設けられている。舌片部３１ａは、内側円筒壁部３１の軸線方向の他端部から軸線方向に延出するように構成されている。なお、内側円筒壁部３１の内周面は、図示しないハーネスを挿通するための挿通孔３１ｂとして構成されている。
【００３０】
外側円筒壁部３３は、図２、図３および図５に示すように、押えバネ部５１を有している。押えバネ部５１は、図３に示すように、外側円筒壁部３３の一部に当該外側円筒壁部３３の円周方向に沿う略Ｕ字状の切り込みを入れ、図６に示すように、環状凹部３ａ側に向かって突出するように切り起こすことにより構成されている。押えバネ部５１は、本発明における「弾性部材」に対応する実施構成の一例である。
【００３１】
押えバネ部５１は、図６および図７に示すように、外側円筒壁部３３の円周方向に沿って延在する本体部５１ａと、環状凹部３ａに向かって突出するように本体部５１ａの先端部に一体に形成された突出部５１ｂと、を有しており、片持ち梁状の板バネとして構成されている。本体部５１ａは、本発明における「板バネ部」に対応し、突出部５１ｂは、本発明における「当接部」に対応する実施構成の一例である。
【００３２】
突出部５１ｂは、図７および図８に示すように、底壁部３５側から外側円筒壁部３３の先端（図８の左側）に向かうにしたがい下り傾斜となる傾斜平面５３を有するように構成されている。傾斜平面５３の傾斜角度θは、１０°ないし４５°好ましくは３０°に構成することができる。傾斜平面５３は、本発明における「傾斜面」に対応する実施構成の一例である。
【００３３】
押えバネ部５１は、図４に示すように、外側円筒壁部３３のうち内側円筒壁部３１を挟んだ両側の位置に各２箇所ずつ計４つ設けられている。内側円筒壁部３１を挟んで外側円筒壁部３３の一方側に設けた２つの押えバネ部５１と、内側円筒壁部３１を挟んで外側円筒壁部３３の他方側に設けた２つの押えバネ部５１と、は、外側円筒壁部３３の中心を対象中心とする点対称の関係となるように配置されている。
【００３４】
また、押えバネ部５１は、図３に示すように、外側円筒壁部３３のうち底壁部３５寄りの位置に設けられている。なお、外側円筒壁部３３の円周方向に隣接して設けられた二つの押えバネ部５１（内側円筒壁部３１を挟んで外側円筒壁部３３の同じ側に設けられた２つの押えバネ部５１）を構成する切込みは、図３に示すように、互いに反対方向に延在するように構成されている。
【００３５】
また、外側円筒壁部３３の先端部（外側円筒壁部３３の底壁部３５が接続された端部とは軸線方向において反対側の端部）の内周面は、図２に示すように、外側円筒壁部３３のその他の部分の内径よりも大きく形成されている。外側円筒壁部３３の先端部の内周面には、図１１に示すように、内側に向かって突出する環状突起部４１が設けられている。
【００３６】
キャップ５は、図１に示すように、円環状部材として構成されている。キャップ５は、図１０に示すように、中央部に貫通孔１５が形成された円板部５ａと、円板部５ａに突設された円筒部５ｂと、から構成されている。円板部５ａの貫通孔１５周縁には、図１に示すように、円筒部５ｂの突設方向とは反対方向に延出する舌片部１７が設けられている。なお、円板部５ａの貫通孔１５は、内側円筒壁部３１の挿通孔３１ｂとともに図示しないハーネスを挿通するための挿通孔を構成する。
【００３７】
また、円板部５ａの貫通孔１５周縁のうち舌片部１７に対応する位置には、周方向に所定距離の範囲に亘って径方向外方に凹む切欠き１５ａが形成されている。当該切欠き１５ａの周方向長さおよび凹み深さは、ケース本体部３の内側円筒壁部３１の舌片部３１ａの幅方向長さおよび板厚と同じ大きさか若干大きくなるように構成されている。
【００３８】
円筒部５ｂの外径は、外側円筒壁部３３の先端部の内径とほぼ同じ大きさに形成されている。円筒部５ｂの外周面には、図１１に示すように、外側に向かって突出する環状突起部４３が設けられている。
【００３９】
次に、こうして構成されたケース１にフェライトコア７１を組み付ける際の様子について説明する。なお、本実施の形態では、フェライトコア７１は、図９に示すように、円筒体として構成されている。フェライトコア７１のケース１への組み付けに際しては、図９に示すように、まず、フェライトコア７１がケース本体部３の環状凹部３ａ内に挿通される。
【００４０】
フェライトコア７１を環状凹部３ａ内に挿通して行くと、フェライトコア７１の底壁部３５に対向する端面が当該底壁部３５に当接するよりも先に、フェライトコア７１の底壁部３５に対向する端面と側面との接続部である角部７１ａが、図７に示すように、押えバネ部５１の傾斜平面５３と当接する。角部７１ａは、本発明における「外周面角部」に対応する実施構成の一例である。
【００４１】
フェライトコア７１の角部７１ａが押えバネ部５１の傾斜平面５３と当接したら、フェライトコア７１の底壁部３５に対向する端面とは反対側の端面にキャップ５を当接させ、キャップ５と共にフェライトコア７１をさらに底壁部３５側に向かって押し込んで行く。
【００４２】
このとき、フェライトコア７１の角部７１ａが傾斜平面５３を介して押えバネ部５１を環状凹部３ａの外方に撓ませるため、押えバネ部５１のバネ力が傾斜平面５３を介してフェライトコア７１の角部７１ａに付勢される。これにより、当該バネ力による分力がフェライトコア７１の軸線方向および径方向に作用する。なお、押えバネ部５１の傾斜平面５３の傾斜角度を１５°ないし４５°好ましくは３０°に設定する構成であるため、フェライトコア７１の環状凹部３ａ内への挿通性の悪化を抑制できる。
【００４３】
そして、キャップ５の円筒部５ｂが外側円筒壁部３３の先端部の内周面に嵌合することにより、フェライトコア７１のケース１への組み付けが完了する。フェライトコア７１のケース１への組み付けが完了した状態では、フェライトコア７１は、押えバネ部５１のバネ力の軸線方向の分力によってキャップ５側に押圧されていると共に、押えバネ部５１のバネ力の径方向の分力によって環状凹部３ａに対する位置ずれが生じないように保持されている。即ち、フェライトコア７１は、環状凹部３ａ内での軸線方向および径方向の自由な移動が規制されている。
【００４４】
このように本実施の形態によれば、フェライトコア７１の角部７１ａにバネ力を付勢するという簡易な構成でありながら、フェライトコア７１のケース１内での軸線方向および径方向の二方向のガタツキを防止することができる。
【００４５】
また、押えバネ部５１が４つ配置される構成であるため、フェライトコア７１のケース１内での軸線方向および径方向の二方向のガタツキを安定して防止することができる。さらに、４つの押えバネ部５１が外側円筒壁部３３の中心を対象中心とする点対称の関係となるように配置される構成であるため、フェライトコア７１の環状凹部３ａ内での径方向位置ずれを抑制することができる。
【００４６】
なお、キャップ５は、円筒部５ｂの環状突起部４３が外側円筒壁部３３先端部の内周面の環状突起部４１を乗り越えるまで、即ち、環状突起部４３が環状突起部４１よりも軸線方向において底壁部３５側の位置に来るまで押し込まれる。これにより、押えバネ部５１のバネ力の軸線方向の分力がフェライトコア７１を介してキャップ５に作用しても、キャップ５がケース１から外れることを良好に防止できる。
【００４７】
こうしてケース１にフェライトコア７１が組み付けられることによりフェライトコアユニット１１が構成される。フェライトコアユニット１１は、ケース１の中央部の挿通孔および舌片部３１ａ，１７間にハーネスＬを挿通し、図１２に示すように、舌片部３１ａ，１７でハーネスＬを挟み込んだ状態で、舌片部３１ａ，１７にテープＴなどを巻き付けることによって、ハーネスＬに取り付けられる。
【００４８】
本実施形態では、円筒形のフェライトコア７１を収容するケース１に適用する構成としたが、これに限らない。例えば、環状直方体のフェライトコア７１を収容するケース１に適用しても良い。
【００４９】
本実施形態では、ケース１に円筒形のフェライトコア７１を収容する構成としたが、半割円筒形の一対のフェライトコア７１を収容する構成としても良い。この場合、半割円筒形の各フェライトコアは、内側円筒壁部３１を挟んで外側円筒壁部３３の一方側および他方側に収容することが望ましい。当該構成によれば、押えバネ部５１のバネ力の径方向の分力によって、半割円筒形の各フェライトコアを互いに当接する方向に作用することができるため、良好な磁気回路を構成することができる。
【００５０】
本実施形態では、ケース１をケース本体部３とキャップ５とによる軸線方向分割構成としたが、これに限らない。例えば、ケース１を径方向に半割状に分割する構成としても良い。
【００５１】
本実施形態では、押えバネ部５１は、ケース本体部３のみに設ける構成としたが、ケース本体部３に加えてキャップ５にも設ける構成としても良い。この場合、キャップ５をケース本体部３と同様の構成、即ち、キャップ５を内側円筒壁部と、外側円筒壁部と、底壁部と、から構成することが好ましい。
【００５２】
本実施形態では、押えバネ部５１は、外側円筒壁部３３の円周方向に沿って延在するように構成したが、外側円筒壁部３３の軸線方向に沿って延在するように構成しても良い。
【００５３】
本実施形態では、押えバネ部５１は、外側円筒壁部３３に略Ｕ字状の切り込みを入れることにより構成したが、これに限らない。例えば、押えバネ部５１をコイルバネやゴム部材などにより外側円筒壁部３３とは別体に形成した後、外側円筒壁部３３に一体にする構成としても良い。
【００５４】
本実施形態では、押えバネ部５１を４つ設ける構成としたが、これに限らない。例えば、押えバネ部５１は１つでも良く、あるいは、５つ以上設ける構成としても良い。
【００５５】
本実施形態では、内側円筒壁部３１を挟んで外側円筒壁部３３の一方側に設けた２つの押えバネ部５１と、内側円筒壁部３１を挟んで外側円筒壁部３３の他方側に設けた２つの押えバネ部５１と、は、外側円筒壁部３３の中心を対象中心とする点対称の関係となるように配置する構成としたが、これに限らない。
【００５６】
本実施形態では、押えバネ部５１の突出部５１ｂに傾斜平面５３を有する構成としたが、これに限らない。例えば、押えバネ部５１の突出部５１ｂには、底壁部３５側から外側円筒壁部３３の先端に向かうにしたがい下り傾斜となる傾斜角度を有すると共に、当該傾斜方向に垂直な方向に沿って凹み状に形成された傾斜曲面を有する構成としても良い。この場合、傾斜曲面の曲率は、フェライトコア７１の角部７１ａが有する曲率と略同じ曲率に構成することが望ましい。これにより、突出部５１ｂと角部７１ａとを線接触させることができるため、突出部５１ｂの耐摩耗性を向上することができる。傾斜曲面は、本発明における「曲面」に対応する実施構成の一例である。
【００５７】
本実施形態は、本発明を実施するための形態の一例を示すものである。したがって、本発明は、本実施形態の構成に限定されるものではない。
【符号の説明】
【００５８】
１      ケース（磁性体コア収容ケース）
３      ケース本体部（第１ケース部材）
３ａ    環状凹部（環状凹部）
５      キャップ（第２ケース部材）
５ａ    円板部
５ｂ    円筒部
１１    フェライトコアユニット
１５    貫通孔
１５ａ  切欠き
１７    舌片部
３１    内側円筒壁部（内側環状壁部）
３１ａ  舌片部
３１ｂ  挿通孔
３３    外側円筒壁部（外側環状壁部）
３５    底壁部（環状底壁部）
４１    環状突起部
４３    環状突起部
５１    押えバネ（弾性部材）
５１ａ  本体部（板バネ部）
５１ｂ  突出部（当接部）
５３    傾斜平面
７１    フェライトコア（磁性体コア）
７１ａ  角部（角部）
Ｌ      ハーネス
Ｔ      テープ
【図１】
2016092265.tif 000003
【図２】
2016092265.tif 000004
【図３】
2016092265.tif 000005
【図４】
2016092265.tif 000006
【図５】
2016092265.tif 000007
【図６】
2016092265.tif 000008
【図７】
2016092265.tif 000009
【図８】
2016092265.tif 000010
【図９】
2016092265.tif 000011
【図１０】
2016092265.tif 000012
【図１１】
2016092265.tif 000013
【図１２】
2016092265.tif 000014